(57)【要約】【課題】第１に、全ての入力チャンネルを、右左自在にチャンネル選択可能，振り分け可能であり、第２に、チャンネルミキシングも可能、増減も可能であり、第３に、更に操作性にも優れた、オーディオモニタを提案する。【解決手段】このオーディオモニタ９では、右出力チャンネルＲｃｈ用のロータリーエンコーダ１１と左出力チャンネルＬｃｈ用のロータリーエンコーダ１２により、各入力チャンネルＩＮｃｈの音声入力信号に基づき右左両出力チャンネルＲｃｈ，Ｌｃｈの音声出力信号が、変換生成される。ロータリーエンコーダ１１，１２は、各入力信号を受けて符号化することによって、各入力信号をモニタリング用，出力信号用に、自在に選択可能，右左振り分け可能，ミキシング可能である。出力信号は、液晶ディスプレイ１５に向けても供給され、入力チャンネルＩＮｃｈ単位でモニタリング状況が表示される。【選択図】図１
2018074241.tif 000002
【特許請求の範囲】
【請求項１】
複数の入力チャンネルの音声入力信号に基づき、右出力チャンネルの音声出力信号および左出力チャンネルの音声出力信号を、それぞれ右左の再生手段に供給して音声再生する、オーディオモニタであって、
右出力チャンネル用のエンコーダおよび左出力チャンネル用のエンコーダにより、各入力チャンネルの該入力信号に基づき右左両出力チャンネルの該出力信号が、それぞれ変換生成されること、を特徴とするオーディオモニタ。
【請求項２】
請求項１において、該エンコーダは、各該入力信号を受けて符号化することによって、各該入力信号をモニタリング用，該出力信号用に、自在に選択可能，右左振り分け可能，そしてミキシング可能であること、を特徴とするオーディオモニタ。
【請求項３】
請求項２において、該エンコーダは、ロータリーエンコーダよりなると共に、各該入力信号の入力チャンネル毎に、それぞれスイッチが付設されており、
該スイッチは、各該入力信号の選択セット操作に用いられること、を特徴とするオーディオモニタ。
【請求項４】
請求項３において、該出力信号は、表示手段に向けても供給され、
該表示手段は、各該入力信号の入力チャンネル単位で、選択の有無、および選択有の場合の右出力チャンネル用か，左出力チャンネル用か，又は両出力チャンネル用かの表示を、少なくとも実施すること、を特徴とするオーディオモニタ。
【請求項５】
請求項３において、該オーディオモニタは、放送局で使用され、各該入力信号の入力チャンネルは、最大１６チャンネルよりなること、を特徴とするオーディオモニタ。
【発明の詳細な説明】
【技術分野】
【０００１】
本発明は、オーディオモニタに関する。例えば放送局において、オーディオ音質等の確認や分析等に使用される、オーディオモニタに関するものである。
【背景技術】
【０００２】
《オーディオモニタ》
この種のオーディオモニタでは、複数の入力チャンネルＩＮｃｈの音声入力信号に基づき、右出力チャンネルＲｃｈ用の音声出力信号、および左出力チャンネルＬｃｈ用の音声出力信号を、それぞれ右左のスピーカ等に供給して、音声再生する。
【０００３】
《従来技術》
図４の（１）図は、従来のオーディオモニタ１の回路構成を示す。デジタル放送の音声チャンネルは現在、代表的には最大１６チャンネルまで使用することができる。そして、従来のオーディオモニタ１では、右出力チャンネルＲｃｈや左出力チャンネルＬｃｈに供給可能な音声出力信号は、それぞれ予め決められ限定されていた。
すなわち、従来のオーディオモニタ１では、音声出力信号の元となる入力チャンネルＩＮｃｈが、右用グループと左用グループとに、予めグループ分けされていた。
→そして、グループ分けされた右用グループの入力チャンネルＩＮｃｈ中から、→モニタリングしたい何れか１つのチャンネルの音声入力信号が選択され、→右出力チャンネルＲｃｈの音声出力信号として、アンプ４を介し右スピーカ２に供給されていた。
同様に、グループ分けされた左用グループの入力チャンネルＩＮｃｈ中から、→モニタリングしたい何れか１つのチャンネルの音声入力信号が選択され、→左出力チャンネルＬｃｈの音声出力信号として、アンプ４を介し左スピーカ３に供給されていた。
【０００４】
なお第１に、図中５は、右出力チャンネルＲｃｈ用のチャンネルセレクタ、６は、左出力チャンネルＬｃｈ用のチャンネルセレクタである。そして、それぞれ切換スイッチ７，８を備えており、モニタリングしたい入力チャンネルＩＮｃｈの選択セット操作が行われる。
第２に、図示従来例では、入力チャンネルＩＮｃｈの右左グループ分けについて、８チャンネルずつで奇数ナンバーや偶数ナンバーが用いられているが、これによらず、チャンネル数やナンバーは自在に変更設定可能であった。
第３に、図２の（２）図は、右出力チャンネルＲｃｈと左出力チャンネルＬｃｈとの組み合わせの一例を示す。勿論、図示例によらず、その他各種のチャンネル組み合わせも可能。例えば１と４や、１と６、１と８等。
【先行技術文献】
【特許文献】
【０００５】
オーディオモニタ１としては、例えば次の特許文献１に示されたものが挙げられる。
【特許文献１】特開２０１１−１６６４７１号公報
【発明の概要】
【発明が解決しようとする課題】
【０００６】
ところで、このような従来技術については、次の課題が問題として指摘されていた。
《第１の問題点》
第１に、従来のオーディオモニタ１では、右左出力チャンネルＲｃｈ，Ｌｃｈについて、選択可能な入力チャンネルＩＮｃｈは、右左それぞれグループ分けされ、設定時に予め決められ限定され固定されていた。使用時，操作時において、グループ中の右左入替えはできなかった。
図４の（１）図の図示従来例では、右出力チャンネルＲｃｈの音声出力信号は、計８チャンネルの偶数ナンバーグループの入力チャンネルＩＮｃｈの音声入力信号中から、選択されていた。奇数ナンバーグループの入力チャンネルＩＮｃｈ中からの選択は、不能であった。
同様に、左出力チャンネルＬｃｈの音声出力信号は、計８チャンネルの奇数ナンバーグループの入力チャンネルＩＮｃｈの音声入力信号中から、選択されていた。偶数ナンバーグループの入力チャンネルＩＮｃｈ中からの選択は、不能であった。
このように従来のオーディオモニタ１では、全ての（図示例では計１６チャンネルの）入力チャンネルＩＮｃｈの音声を、自在に右左に振り分けてモニタリングすることはできなかった。これに対し、全入力チャンネルＩＮｃｈの音声を、右左スピーカ２，３間で適宜入替えてモニタリングしたい、というニーズ，要望が強かった。
【０００７】
《第２の問題点》
第２に、従来のオーディオモニタ１では、右左出力チャンネルＲｃｈ，Ｌｃｈについて、選択可能な入力チャンネルＩｎｃｈは、それぞれ１つのチャンネルのみとなっていた。複数チャンネルのミキシングはできなかった。
図４の（１）図の例では、右出力チャンネルＲｃｈの音声出力信号は、偶数ナンバーの入力チャンネルＩＮｃｈの音声入力信号中から、１チャンネル分のみ選択されていた。複数チャンネル分の選択は、不能であった。
同様に、左出力チャンネルＬｃｈの音声出力信号は、奇数ナンバーの入力チャンネルＩＮｃｈの音声入力信号中から、１チャンネル分のみ選択されていた。複数チャンネル分の選択は、不能であった。
このように従来は、右左それぞれ、複数の入力チャンネルＩＮｃｈの音声を、ミキシングすることはできなかった。これに対し、複数の入力チャンネルＩＮｃｈの音声を右左スピーカ２，３から、それぞれ同時にミキシングしてモニタリングしたい、というニーズが強かった。更にその際、ミキシング数を増減したい、という要望も根強かった。
【０００８】
《本発明について》
本発明のオーディオモニタは、このような実情に鑑み、上記従来技術の課題を解決すべくなされたものである。
そして本発明は、第１に、全ての入力チャンネルを、右左自在にチャンネル選択可能，振り分け可能であり、第２に、チャンネルミキシングも可能、増減も可能であり、第３に、更に操作性にも優れた、オーディオモニタを提案することを目的とする。
【課題を解決するための手段】
【０００９】
《各請求項について》
このような課題を解決する本発明の技術的手段は、特許請求の範囲に記載したように、次のとおりである。
請求項１については、次のとおり。
請求項１のオーディオモニタは、複数の入力チャンネルの音声入力信号に基づき、右出力チャンネルの音声出力信号および左出力チャンネルの音声出力信号を、それぞれ右左の再生手段に供給して音声再生する。
そして、右出力チャンネル用のエンコーダおよび左出力チャンネル用のエンコーダにより、各入力チャンネルの該入力信号に基づき右左両出力チャンネル用の該出力信号が、それぞれ変換生成されること、を特徴とする。
【００１０】
請求項２については、次のとおり。
請求項２のオーディオモニタでは、請求項１において、該エンコーダは、各該入力信号を受けて符号化することによって、各該入力信号をモニタリング用，該出力信号用に、自在に選択可能，右左振り分け可能，そしてミキシング可能であること、を特徴とする。
請求項３については、次のとおり。
請求項３のオーディオモニタでは、請求項２において、該エンコーダは、ロータリーエンコーダよりなる。そして、各該入力信号の入力チャンネル毎に、それぞれスイッチが付設されており、該スイッチは、各該入力信号の選択セット操作に用いられること、を特徴とする。
請求項４については、次のとおり。
請求項４のオーディオモニタでは、請求項３において、該出力信号は、表示手段に向けても供給される。
そして該表示手段は、各該入力信号の入力チャンネル単位で、選択の有無、および選択有の場合の右出力チャンネル用か，左出力チャンネル用か，又は両出力チャンネル用かの表示を、少なくとも実施すること、を特徴とする。
請求項５については、次のとおり。
請求項５のオーディオモニタでは、請求項３において、該オーディオモニタは、放送局で使用される。そして、各該入力信号の入力チャンネルは、最大１６チャンネルよりなること、を特徴とする。
【００１１】
《作用等について》
本発明は、このような手段よりなるので、次のようになる。
（１）まず、各種の入力チャンネルの音声入力信号が、右左のエンコーダ代表的にはロータリーエンコーダに、入力される。
（２）そして、右左のロータリーエンコーダで符号化された入力チャンネルの入力信号が、右左のモニタリング用，出力信号用に選択される。すなわち、操作ツマミ等により、入力チャンネルの選択セット操作が行われ、選択されたチャンネルのスイッチがオンされる。
（３）このような選択により、入力チャンネルの入力信号は、右左出力チャンネルの出力信号用として、右左に自動的に振り分けられる。そして符号化に基づき、容易に組み合わされミキシングされる。
（４）このようなモニタリングのチャンネル選択，右左振り分け，ミキシング状況は、表示手段にて表示される。
（５）そして、このように生成された出力信号が、右左出力チャンネルにより右左の再生手段に供給され、もってモニタリングに供される。
（６）さて、本発明のオーディオモニタは、上述したように、全入力チャンネルの入力信号を、右左出力チャンネルの出力信号用として選択可能，右左振り分け可能である等、モニタリング性能に優れている。
（７）更に、選択され振り分けられた各入力信号は、右左それぞれ、出力信号用としてミキシングされ同時にモニタリングすることができ、この面からもモニタリング性能に優れている。
（８）そこで、本発明に係るオーディオモニタは、次の効果を発揮する。
【発明の効果】
【００１２】
《第１の効果》
第１に、全ての入力チャンネルを、右左自在にチャンネル選択可能，振り分け可能である。
本発明のオーディオモニタでは、全入力チャンネルの各音声入力信号を、右左出力チャンネルの音声出力信号用として、自在にチャンネル選択可能であり、右左へ自在に振り分けて音声モニタリング可能である。
前述したこの種従来技術のように、右左出力チャンネル用に選択，振り分け可能な入力チャンネルが、予め決められ限定され固定されており、全ての入力チャンネルに及ばない事態は解消される。
本発明によると、全入力チャンネルの各音声を自由にチャンネル選択して、右左のスピーカ等から、音声モニタリングすることが出来る。右左を入替えてのモニタリングも、適宜容易に出来る。
もって、従来は不可能とされていたニーズ，要望に応えることが可能となり、モニタリング性能が大きく向上する。
【００１３】
《第２の効果》
第２に、チャンネルミキシングが可能、増減も可能である。
本発明のオーディオモニタでは、選択され振り分けられた各入力チャンネルの音声入力信号は、右出力チャンネルおよび左出力チャンネルの音声出力信号用として、チャンネルミキシングされる。
前述したこの種従来技術のように、右左出力チャンネル用として選択され振り分けられる入力チャンネルが、それぞれ、１つのチャンネルのみとされていた事態は、解消される。複数チャンネルのミキシングが不能とされていた事態は、解消される。
本発明によると、全入力チャンネルの複数音声を、同時に組合わせ混合しミキシングして、同時に右左のスピーカ等の再生手段から音声モニタリングすることが出来る。そして、ミキシング数の増減も適宜容易に出来る等、従来不可能とされていたニーズ，要望にも応えることが可能となり、この面からもモニタリング性能が大きく向上する。
【００１４】
《第３の効果》
第３に、操作性にも優れている。
本発明のオーディオモニタでは、モニタリングのチャンネル選択状況，右左振り分け状況，ミキシング状況等の情報が、表示手段にて表示される。
もって、モニタリング状況が常時一目で認識，確認出来るので、誤操作なく迅速にモニタリング出来る等、操作性にも優れている。
このように、この種従来技術に存した課題がすべて解決される等、本発明の発揮する効果は、顕著にして大なるものがある。
【図面の簡単な説明】
【００１５】
【図１】本発明に係るオーディオモニタについて、発明を実施するための形態の説明に供し、回路の構成ブロック図である。
【図２】同発明を実施するための形態の説明に供し、全体の斜視説明図である。
【図３】同発明を実施するための形態の説明に供し、（１）図は、ロータリーエンコーダ用のツマミの斜視図、（２）図は、液晶ディスプレイの正面図である。
【図４】従来例に係るオーディオモニタの説明に供し、（１）図は、回路の構成ブロック図、（２）図は、チャンネル組み合わせの一例の説明図である。
【発明を実施するための形態】
【００１６】
以下、本発明を実施するための形態について、図面を参照して詳細に説明する。
《オーディオモニタ１，９について》
まず、オーディオモニタ１，９について、図１の本発明および図４の（１）図の従来例を参照して、一般的に説明しておく。
オーディオモニタ１，９は、複数の入力チャンネルＩＮｃｈの音声入力信号に基づき、右出力チャンネルＲｃｈの音声出力信号および左出力チャンネルＬｃｈの音声出力信号を、それぞれ右左の再生手段１０に供給して音声再生する。
すなわちオーディオモニタ１，９は、例えば放送局の調整室において、対象オーディオの音質等の確認，監視，チェック，分析，指示等に使用される。
デジタル放送の音声チャンネルは現在、代表的には最大１６チャンネルまで使用することができ、図示例では１６チャンネル使用となっているが、勿論８チャンネル使用の場合もあり、可能性としては３２チャンネルや６４チャンネルも考えられる。
そして、このような複数・多数の入力チャンネルＩＮｃｈの音声入力信号（デジタル又はアナログ信号）に基づき、従来例では右左用のチャンネルセレクタ５，６により、本発明では右左用のロータリーエンコーダ１１，１２により、モニタリングしたい音声入力信号が選択される。
もって、右左の出力チャンネルＲｃｈ，Ｌｃｈの音声出力信号（デジタルやアナログ信号）が、それぞれアンプ４を介し増幅されて、右左スピーカ２，３やヘッドホン等の再生手段１０に供給されて、音声再生される。
オーディオモニタ１，９については、以上のとおり。
【００１７】
《本発明の概要》
以下、本発明について、図１〜図３を参照して説明する。まず、本発明の概要については、次のとおり。
本発明のオーディオモニタ９では、右出力チャンネルＲｃｈ用のロータリーエンコーダ１１等のエンコーダ、および、左出力チャンネルＬｃｈ用のロータリーエンコーダ１２等のエンコーダにより、各入力チャンネルＩＮｃｈの音声入力信号に基づき右左両出力チャンネルの音声出力信号が、それぞれ変換生成される。
そして、右左用のエンコーダは、各音声入力信号を受けて、符号化することによって、各入力信号をモニタリング用，音声出力信号用に、自在に選択可能，右左振り分け可能，そしてミキシング可能である。
本発明の概要については、以上のとおり。以下、このような本発明について、更に詳述する。
【００１８】
《チャンネル選択について》
まず、チャンネル選択について、図１等を参照して説明する。
このオーディオモニタ９では、右左のエンコーダが採用されている。右左のエンコーダとしては、ロータリーエンコーダ１１，１２が代表的に使用される（以下、エンコーダとしてロータリーエンコーダ１１，１２について説明する）。
そして、各入力信号の入力チャンネルＩＮｃｈ毎に、それぞれスイッチ１３，１４が付設されており、スイッチ１３，１４は、各入力信号の選択セット操作に用いられる。
これらについて詳述する。右出力チャンネルＲｃｈ用のロータリーエンコーダ１１は、全入力チャンネルＩＮｃｈ（図示例では１〜１６チャンネル）の１０進数の各入力信号を、その入力部１１’を介して受けると共に、それぞれを２進符号化する。チャンネル毎の入力信号を、それぞれ１組の２進符号信号にコード化する。
もってまず、全入力チャンネルＩＮｃｈの入力信号が、右出力チャンネルＲｃｈでのモニタリング用，出力信号用として、選択可能となる。
同様に、左出力チャンネルＬｃｈ用のロータリーエンコーダ１２は、全入力チャンネルＩＮｃｈ（１〜１６チャンネル）の各入力信号を、その入力部１２’を介して受けると共に、それぞれを符号化することによって、まず、左出力チャンネルＬｃｈでのモニタリング用，出力信号用として、選択可能となる。
【００１９】
この選択セット操作は、スイッチ部１６，１７によって実施される。すなわち、右左のロータリーエンコーダ１１，１２には、それぞれ、スイッチ部１６，１７が付設されている。
そして、この右左のスイッチ部１６，１７には、各入力信号の入力チャンネルＩＮｃｈ毎に、スイッチ１３，１４（図示例ではそれぞれ１６個）が設けられている。
そこで、モニタリングしたい入力チャンネルＩＮｃｈのスイッチ１３，１４を、スイッチオンすることにより、その入力チャンネルＩＮｃｈの入力信号が、右左の出力チャンネルＲｃｈ，Ｌｃｈの出力信号用として、選択される。すなわち、チャンネル選択有にセット操作され、その旨の出力信号が変換生成されることになる。
これに対し選択を取消す場合は、そのオンのスイッチ１３，１４を、スイッチオフすることにより、チャンネル選択無に切換えセット操作される。
チャンネル選択については、以上のとおり。
【００２０】
《チャンネル振り分けやチャンネルミキシングについて》
次に、チャンネル振り分け，チャンネルミキシングについて、図１等を参照して説明する。
このオーディオモニタ９では、上述したように、右左のロータリーエンコーダ１１，１２と、付設されたスイッチ１３，１４との組み合わせにより、チャンネル選択が行われる。すなわち、全入力チャンネルＩＮｃｈの各入力信号を受け、選択セット操作により、モニタリング用，出力信号用に選択される。
そして、このような右左のロータリーエンコーダ１１，１２とスイッチ１３，１４による選択により、入力チャンネル（図示例では１〜１６チャンネル）の各入力信号が、自動的に右左に振り分けられる。選択により、右左出力チャンネルＲｃｈ，Ｌｃｈの出力信号用として、振り分けられる。
振り分けの各例については、次のとおり。まず例えば、入力チャンネルＩＮｃｈの入力信号を、右左両出力チャンネルＲｃｈ，Ｌｃｈの出力信号用として、両方共通に振り分けられこともできる。例えば、途中で右左を完全に入替える振り分けも可能である。又例えば、いずれか一方の右左出力チャンネルＲｃｈ，Ｌｃｈについて、振り分け無しも可能である。
このオーディオモニタ９では、このように右左自在に、まずチャンネル振り分け可能である。
【００２１】
そして、チャンネルミキシングが可能である。右左に振り分けられた各入力信号は、それぞれ、ミキシングされた出力信号へと変換生成されて、右左出力チャンネルＲｃｈ，Ｌｃｈに供給される。
すなわち、全入力チャンネルＩＮｃｈの１０進数の各入力信号は、右左のロータリーエンコーダ１１，１２による２進符号化と、スイッチ１３，１４との組み合わせにより、束に組み合わされ混合化，複合化，ミックス化されたミキシング出力信号に変換されて、右左出力チャンネルＲｃｈ，Ｌｃｈへと供給される。
このオーディオモニタ９では、このように右左それぞれ、全入力チャンネルＩＮｃｈ（図示例では１〜１６チャンネル）について、モニタリング用，出力信号用に選択，振り分け，そしてミキシング可能となっている。
チャンネル振り分け，チャンネルミキシングについては、以上のとおり。
【００２２】
《フロントパネル１８の概略》
次に、図２，図３等により、フロンパネル１８の概略について、説明する。
オーディオモニタ９のユニットケース１９のフロントパネル１８には、右左スピーカ２，３や、右左操作ツマミ２０，２１や、右左ボリューム調整ツマミ２２，２３や、中央の液晶ディスプレイ１５、等が配されている。
液晶ディスプレイ１５は、情報表示手段の代表例であり、ロータリーエンコーダ１１，１２からの出力信号は、グラフィックプロセッサ（画像描画処理器）２６を介し、この液晶ディスプレイ１５に向けても供給される。
そして液晶ディスプレイ１５は、各入力信号の入力チャンネルＩＮｃｈ単位で、選択の有無、および選択有の場合の右出力チャンネルＲｃｈ用か，左出力チャンネルＬｃｈ用か，又は右左両出力チャンネルＲｃｈ，Ｌｃｈ用かの表示を、少なくとも実施する。
【００２３】
液晶ディスプレイＬＣＤ１５は、下欄に、各入力信号の入力チャンネルＩＮｃｈの表示２７（図示例では１〜１６チャンネル）が、配されている。
上欄には、各入力チャンネル表示２７毎に、右出力チャンネルＲｃｈへの選択表示２８、左出力チャンネルＬｃｈへの選択表示２９、右左両出力チャンネルＲｃｈ，Ｌｃｈへの選択表示３０等が、絵表示点灯可能となっている。無表示は、選択無の状態を示す。
右左操作ツマミ２０，２１は、チャンネル表示用、および、右左のロータリーエンコーダ１１，１２や各スイッチ１３，１４の操作用である。
フロントパネル１８の概略については、以上のとおり。
【００２４】
《フロンパネル１８の操作について》
次に、フロントパネル１８の操作等について、図２，図３等を参照して説明する。
まず、右操作ツマミ２０や左操作ツマミ２１を回すと、全入力信号の入力チャンネルＩＮｃｈ（図示例で１〜１６チャンネル）が、液晶ディスプレイ１５のチャンネル表示２７に、ランプ点灯により順次表示される。
このように、まず選択用のチャンネル表示２７が、順次実施されるが、このチャンネル表示２７は、ロータリーエンコーダ１１，１２の入力部１１’，１２’からの各入力信号に基づいて、行われる。
そして、モニタリングしたい入力チャンネルＩＮｃｈが点灯表示された時点で、右操作ツマミ２０や左操作ツマミ２１を押下すると、押下された該入力チャンネルＩＮｃｈの入力信号が、右左の出力チャンネルＲｃｈ，Ｌｃｈの出力信号用に、選択セット操作される。
【００２５】
このような右操作ツマミ２０や左操作ツマミ２１の押下により、選択セット操作された該入力チャンネルＩＮｃｈのスイッチ１３，１４が、連動してスイッチオンされる。右操作ツマミ２０や左操作ツマミ２１の軸、右左ロータリーエンコーダ１１、１２の軸、付設された右左の各スイッチ１３，１４等は、右左それぞれ連動用に接続されている。
このようにして、次々とチャンネルの選択セット操作が行われ、対応したスイッチ１３，１４がスイッチオンされて行くことにより、ロータリーエンコーダ１１，１２にて変換生成されミキシングされた各出力信号が、右左の出力チャンネルＲｃｈ，Ｌｃｈに供給される。
これと共に液晶ディスプレイ１５では、入力チャンネル表示２７単位で、選択表示２８，２９，３０が実施される。選択の有無，右出力チャンネルＲｃｈ用選択か，左出力チャンネルＬｃｈ用選択か、右左両出力チャンネルＲｃｈ，Ｌｃｈ用選択か等が表示される。
【００２６】
なお、チャンネル選択を取消す場合については、次のとおり。右操作ツマミ２０や左操作ツマミ２１を回し、モニタリング選択を取消したい入力チャンネルＩＮｃｈが点灯表示された時点で、右操作ツマミ２０や左操作ツマミ２１を押下すると（２回目の押下であり、選択セット操作時が１回目の押下）、選択セット取消操作となる。
もって、該入力チャンネルＩＮｃｈに対応したスイッチ１３又は１４が、連動してオフに切換わる。これと共に、液晶ディスプレイ１５において、対応するチャンネル表示２７の選択表示２８，２９，３０が取消されて消灯される。
フロントパネル１８の操作等については、以上のとおり。
【００２７】
《作用等》
本発明のオーディオモニタ９は、以上説明したように構成されている。そこで以下のようになる。
（１）まず、各種の入力チャンネルＩＮｃｈの音声入力信号が、右左独立して設けられたロータリーエンコーダ１１，１２に、入力される。
すなわち、複数（例えば、アナウンス，音楽，所定室，その他）の音声信号源から出力された各入力チャンネルＩＮｃｈの音声入力信号が、右出力チャンネルＲｃｈ用のロータリーエンコーダ１１と、左出力チャンネルＬｃｈ用のロータリーエンコーダ１２とに、それぞれの入力部１１’，１２’を介し、入力される（図１を参照）。
図示例では、１〜１６チャンネルのデジタル入力信号のＨＤ−ＳＤ１，ＳＤ−ＳＤ１エンベデット信号が入力される。
【００２８】
これと共に各入力信号は、右左の入力部１１’，１２’から右左それぞれ、フロントパネル１８の液晶ディスプレイ１５に入力される（図１を参照）。
そして、右左操作ツマミ２０，２１を回すことにより、各入力信号の入力チャンネルＩＮｃｈ（図示例では１〜１６チャンネル）が、ランプ点灯等により順次表示される。このようにして、選択用の入力チャンネル表示が、実施される（図２，図３の（２）図を参照）。
【００２９】
（２）もって、モニタリングしたい音声信号源の入力チャンネルＩＮｃｈが表示された時点で、右左操作ツマミ２０，２１を押下することにより（図３の（１）図を参照）、入力チャンネルＩＮｃｈの選択セット操作が実施される。
そして、このようなチャンネルの選択セット操作に連動して、選択された該入力チャンネルＩＮｃｈに対応したスイッチ１３，１４がオンされ、右左のロータリーエンコーダ１１，１２で符号化された該入力チャンネルＩＮｃｈの入力信号が、右左のモニタリング用，出力信号用に選択される（図１を参照）。
【００３０】
（３）このように、全入力チャンネルＩＮｃｈの各入力信号は、右左のロータリーエンコーダ１１，１２とスイッチ１３，１４との組み合わせにより、選択される。そして、このような選択により、右左出力チャンネルＲｃｈ，Ｌｃｈの出力信号用として、右左自在に自動的に振り分けられる（図１を参照）。
これと共に、出力信号用に右左に振り分けられた各入力信号は、ロータリーエンコーダ１１，１２にて符号化されているので、右左でそれぞれ容易にミキシングされる。右左でそれぞれ１組に組み合わされ、混合化され複合化される。
【００３１】
（４）ところで、このようなモニタリングのチャンネル選択状況，右左振り分け状況，ミキシング状況等の情報が、表示手段の液晶ディスプレイ１５において、選択表示２８，２９，３０に（図３の（２）図を参照）表示される。
もって例えば、どの入力チャンネルＩＮｃｈが、右左どちらに選択されミキシングされているか等、モニタリング状態が一目で分かるように表示されており、容易に確認，認識される。
【００３２】
（５）さて、このようにして変換生成された右左両出力信号が、右左出力チャンネルＲｃｈ，Ｌｃｈにより、右左スピーカ２，３等の再生手段１０に供給される。そして、モニタリング用に音声再生される（図１を参照）。
もって、対象オーディオの音質等の確認，監視，チェック，分析，指示等に供される。
【００３３】
（６）さて、本発明のオーディオモニタ９では、全ての入力チャンネルＩＮｃｈの各入力信号を、ロータリーエンコーダ１１，１２で符号化すると共に、スイッチ１３，１４にてチャンネル選択する。
そこで、右左出力チャンネルＲｃｈ，Ｌｃｈの出力信号用として、全ての入力チャンネルＩＮｃｈの各入力信号を、自在に選択して音声モニタリング可能そして右左へ自在に振り分けて音声モニタリング可能であり、右左入替も容易である。もって、これらによりモニタリング性能が向上する。
【００３４】
（７）更に、このオーディオモニタ９では、右左のロータリーエンコーダ１１，１２による符号化とスイッチ１３，１４のオンオフにて選択され，振り分けられた各入力信号は、右左それぞれ出力信号用にミキシングされる。
全入力チャンネルの複数の音声を組み合わせて混合化，複合化し、チャンネルミキシングされたものとして、右左それぞれ同時に音声モニタリングすることが可能となる。右左で自在かつ同時に、多チャンネルをモニタリングすることができる。もって、この面からもモニタリング性能が向上する。
作用等については、以上のとおり。
【符号の説明】
【００３５】
１    オーディオモニタ（従来例）
２    右スピーカ
３    左スピーカ
４    アンプ
５    チャンネルセレクタ
６    チャンネルセレクタ
７    切換スイッチ
８    切換スイッチ
９    オーディオモニタ（本発明）
１０    再生手段
１１    ロータリーエンコーダ（右出力チャンネル用）
１１’  入力部
１２    ロータリーエンコーダ（左出力チャンネル用）
１２’  入力部
１３    スイッチ
１４    スイッチ
１５    液晶ディスプレイ（表示手段）
１６    スイッチ部
１７    スイッチ部
１８    フロントパネル
１９    ユニットケース
２０    右操作ツマミ
２１    左操作ツマミ
２２    右ボリュームツマミ
２３    左ボリュームツマミ
２６    グラフィックプロセッサ
２７    入力信号のチャンネル表示
２８    右出力チャンネル選択表示
２９    左出力チャンネル選択表示
３０    両出力チャンネル選択表示
ＩＮｃｈ  入力チャンネル
Ｒｃｈ  右出力チャンネル
Ｌｃｈ  左出力チャンネル
【図１】
2018074241.tif 000003
【図２】
2018074241.tif 000004
【図３】
2018074241.tif 000005
【図４】
2018074241.tif 000006